Podtech/llm-jp-corpus-v4-ja_patent huggingface dataset:
(57)【要約】【課題】  煙突を有する炉の熱源から出る高温排ガスをただ単に空気中に排出するのではなく、熱エネルギーの無駄を少しでも減らすため、多重管煙突で高温排ガスによる熱交換で暖房費や給騰費の低減をはかる。【解決手段】  炉から出る高温排ガスが、煙道１１を緩やかに排気され、その高温で煙突用鋼管１０及び給水用鋼管１２が暖められ、それにより熱交換される通気部９の外気及び熱交換される通水部１３の水道水が熱交換され、温められた外気は建物内に送る断熱材で保温された配管３を通り建物の暖房を行い、又暖められた水道水は給湯設備に送る断熱材で保温された配管４を通り建物内の給湯設備に送られる。【選択図】図３
2010156529.tif 000002
【特許請求の範囲】
【請求項１】
煙突を有する炉の熱源から出る高温排ガスを熱交換して再利用することを特徴とした多重管煙突。
【発明の詳細な説明】
【技術分野】
【０００１】  本発明は炉から出る高温排ガスを排出させる煙突に関する。
【背景技術】
【０００２】  従来の煙突は燃焼による高温排ガスを屋外に排出する為の物ある。【０００３】  なお、本願発明に関連する公知技術として次の特許文献１を挙げることができる。【０００４】
【特許文献１】  公開特許Ｈ８−１７８４２５号
【発明の開示】
【発明が解決しようとする課題】
【０００５】  上述のごとく、従来の煙突は炉から出る高温排ガスをただ単に屋外に排出し、熱エネルギーの無駄が多かった。
【課題を解決するための手段】
【０００６】  以上の課題を解決するため、多重管煙突内で高温排ガスによる熱交換を行い、高温排ガスによる熱エネルギーの有効利用を特徴とする。
【発明の効果】
【０００７】  近年化石燃料の高騰でエネルギーの無駄を省くことが出来る。【０００８】  高気密高断熱住宅の床下に温風を入れることにより、建物全体が暖房できる。【０００９】  各部屋に温風配管をして個別暖房ができる。【００１０】  給水管を組み込むことにより給湯設備としても使用できる。
【発明を実施するための最良の形態】
【００１１】  以下、本発明の実施の形態を図面に基づき詳細に説明する。【００１２】  図１〜図３は本発明の実施の形態に係わり、図１は外観側面図、図２は図１の熱交換を行う申請部分の多重管煙突の横断面図、図３は図１の多重管煙突の縦断面図である。【００１３】  図２、図３に示すように、外気を取入れる送風機を取付けた吸気管５から、熱交換される通気部９を通過する外気が、高温排ガスで暖められた煙突用鋼管１０で熱交換され、その暖められた外気を建物内に送る断熱材で保温された送風配管３で建物内を暖房する。【００１４】  図２、図３に示すように、水道管直結の給水管６から熱交換される通水部１３を通過するとき、煙道１１の高温排ガスで熱交換された温水を、給湯設備に送る断熱材で保温された給湯配管４で建物内の給湯設備に送る。
【実施例】
【００１５】  灯油やＬＰＧガスの高騰は今後も続くと思われ、代替エネルギーとして長時間もつ安価な練炭を使用することができる。【００１６】  排ガスによる腐食対策として煙突用鋼管１０と通水用鋼管１２は、ステンレス鋼管を使用する。
【産業上の利用可能性】
【００１７】  冬場の日本海側はソーラーシステムが有効に利用できないため、このシステムが向いている。
【図面の簡単な説明】
【００１８】
【図１】  外観側図である。
【図２】  図１の熱交換を行う申請部分の多重管煙突１の横断面図である。
【図３】  図１の熱交換を行う申請部分の多重管煙突１の縦断面図である。
【符号の説明】
【００１９】  １      熱交換を行う申請部分の多重管煙突
２      炉
３      建物内に送る断熱材で保温された温風配管
４      給湯設備に送る断熱材で保温された給湯配管
５      外気を取入れる送風機を取付けた吸気管
６      水道管直結の給水管
７      断熱材
８      通気用鋼管
９      熱交換される通気部
１０    煙突用鋼管
１１    煙道
１２    通水用鋼管
１３    熱交換される通水部
１４    通気及び通水の流入方向の矢印
【図１】
2010156529.tif 000003
【図２】
2010156529.tif 000004
【図３】
2010156529.tif 000005
(57)【要約】【課題】  大地を放物面状にする手間をなくす。【解決手段】  フラットレンズと反射材を使用し、平らな面ですむようにする。【特許請求の範囲】
【請求項１】
平らな地面の上に反射材とフラットレンズを並べて太陽光を集光し、それを熱エネルギー源として利用することを特徴とする太陽光利用装置。
【発明の詳細な説明】
【技術分野】
【０００１】  本発明は太陽光利用装置に関する。
【背景技術】
【０００２】  前日本出願人が出願した大地を放物面に造成し、そこに反射材を置き、それで集光、焦点においた蒸発管からの蒸気を使って発電するというものがある。
【発明の開示】
【発明が解決しようとする課題】
【０３】  大地の造成が大変、正確な放物面を作るのが容易ではないという欠点がある。
【課題を解決するための手段】
【０００４】  平らな地面の上に反射材とフラットレンズをおくことにより、上記の問題を解決する。
【発明の効果】
【０００５】  平らな面を作ることは、放物面を作ることより容易であり、コストもかからない。フラットレンズ等は工場生産物であり、現場でひとつひとつ曲面を作るより、正確に出来る。
【発明を実施するための最良の形態】
【０００６】  反射シートでも良いが、地面に横にしておくだけというため重量がほとんどかからず、その上に乗ったりもしないので、極薄い通常タイプの鏡が反射の正確さにおいて多少有利。フラットレンズは、通常の丸レンズより、直線状に焦点持つタイプのものが本目的にはより有効。フラットレンズの平らな後ろ側にメッキを施せば、それ自体が鏡になるので、コスト削減ができる。またフラットレンズはプラスチックで出来ており、紫外線に弱いので、真空蒸着やメッキにより、凹凸がある表側に加工が出来れば、最良のものになる。これらは例えば幅１０ｍの反射鏡にするときは５０〜１００ｃｍ幅のものをその設置位置に合わせて、反射方向が異なるように作るのは当然である。これらは水平の地面に置かれるため、雨水等の排水が悪く、時々ふき取ったりしなければならないため、排水兼作業用通路を、数ｍおきに作るとよい。
水平面の作り方は、最後の段階で、例えばコンクリートでも表層数ｍｍは流動性のある液体で被った状態でそのまま乾燥固めてしまうという方法をとる。太陽に合わせて斜めに造ろうとするとこの方法が取れず、きわめて難しくなる。
(57)【要約】【課題】解決しようとする問題点は、従来の灰均しは全体が一枚の板を打ち抜いた形状で平面的であり、当然その持ち手の部分も平面の為に、直線的な模様を描くには十分であったが曲線模様を描く為には不便であった事である。【解決手段】本発明は、灰均しの持ち手部分を円柱状の指で摘んで回転させる事が容易な立体的形状とし、且つ、その回転軸線が鋸歯部分の一方の端と直角に交差する事を特徴としており、コンパスを用いた様に灰の表面に同心円の模様を描く事を容易にしたものである。【選択図】図１
2010112589.tif 000002
【特許請求の範囲】
【請求項１】
回転取手部（１）の回転中心線の延長が、鋸歯部（２）の中心線の一端に直角に交わる事を特徴とする灰均し。
【発明の詳細な説明】
【技術分野】
【０００１】
本発明は、火鉢、囲炉裏、香炉、線香立て等の灰を取り扱う際に使用する灰均しに関するものである。
【０００２】
従来の灰均しは１枚の板を切り抜いた平面のヘラ状のものであった。
【背景技術】
【０００３】
灰均しは、囲炉裏や火鉢等で炭を燃やす際に炭の補給や火力調整に灰の操作をする時のヘラとして、火箸と並んで用いられる事が主な役目であったが、その他の役目として灰の表面を均一にならして美観を保つ為の用具としての重要な役も担っていた物である。
【０００４】
従来の灰均しは長方形の板の一辺を鋸歯状にして、他辺を持ち易く構成しただけの平面的な物であった。
【０００５】
この灰均しには火箸と共通した目的の炭火の管理作業の他に、灰の表面を均一にならして美観を保つと言う使用目的があることは前述した通りであるが、本発明は特に、美観を保つ要素についての機能を向上させる事を目的として発明されたものである。
【０００６】
従来の平面的構成の場合、持ち手部分も平面になる事は当然であり、それを手に持って指先で回転させる事は非常に困難な事であった。特に模様を描こうとする目的の面積が小さい香炉や、線香立ての場合は直線的な模様を描くだけに限られてしまい不満足な事であった。
【発明の開示】
【発明が解決しようとする課題】
【０００７】
解決しようとする課題は、灰均しで線香立てや香炉など比較的小さい面積の灰の表面に、同心円の模様を容易に描く事を可能とする事である。
【課題を解決するための手段】
【０００８】
灰均しの持ち手部に回転取手部（１）を構成し、指先で容易に回す事が可能なこの回転取手部（１）の回転中心線上に直角に交差した灰均しの鋸歯部を構成した方法が考えられた。
【発明の効果】
【０００９】
枯山水の庭園に見られる砂の模様は日本庭園の美しさの代表的な部分として多くの人々の心を魅了してきた事は承知の通りである。この枯山水の砂に描かれた模様を美しいと感じる感性の延長線上において、各家庭の小さな火鉢、囲炉裏等の灰の表面に枯山水の砂模様を描こうとする心が存在する事は、日本文化を愛する人々に共通して存在する美的感性と推測するところである。
【００１０】
灰均しの役目はこの様な繊細な美意識を満足させるところの用具であった事は、この呼び名からも推測できる所である。すなわち灰を移動管理するだけのヘラではなく「均し」と呼んだ所にすでに囲炉裏の灰の表面模様に対する古の人々の拘りが窺える。本発明はこのような美意識の満足を手助けする事を可能としたものである。
【実施例】
【００１１】
本発明における灰均しは、灰均しをコンパスのように繊細に動かす事を可能とすべく考えられたものであるが、従来の単なる平面状の持ち手部分に球または円柱等の回転取手部（１）を取り付け、且つ当該回転取手部（１）の回転中心線の延長が鋸歯部（２）の中心線の一端で直角に交わる事を特徴とする。
【００１２】
鋸歯部（Ｂ）の左右いづれかの一端に先の回転取手部（１）の回転中心線の延長線が直角に交わる事により、この交点が円の中心となり、鋸歯部（Ｂ）のもう一方の端が外周となる。
【００１３】
すなわち、回転取手部（１）を指でつまんで回転させる事により、回転取手部（１）の回転中心線を円の中心とした、半径が鋸歯部（Ｂ）の長さの同心円を描く事が可能となる。その模様は鋸歯部（Ｂ）の歯幅に準じた縞模様となる。
【００１４】
回転取手部（１）の形状は回転体を基本的な形状として、その表面にローレット加工を施したり、図柄を表す凹凸の模様を施したものが代表的であるが、要は、指で摘んで回転させられる立体的形状であれば何れの形状でも可能なところである。通常の製図で円を描くコンパスのハンドルと同じ役を満足できれば良くデザイン的に自由に選択する事は可能である。
【産業上の利用可能性】
【００１５】
本発明により、香炉、線香立て、囲炉裏等の灰の表面に小さくきれいな回転模様を描く事が可能となった。
【図面の簡単な説明】
【００１６】
【図１】は本発明による灰均しの斜視図である。
【図２】は本発明による灰均しの底面図である。
【図３】は従来の灰均しの平面図である。
【符号の説明】
【００１７】
１    回転取手
１´  持ち手
２   鋸歯部
Ａ   回転取手の回転中心線
Ｂ   鋸歯部中心線
【図１】
2010112589.tif 000003
【図２】
2010112589.tif 000004
【図３】
2010112589.tif 000005
(57)【要約】      （修正有）【課題】高所作業の足場をその作業状況に応じ、瞬時に足場設定ができる足場金具を提供する。【解決手段】梯子又は脚立あるいは胴縁や桁などの横の両サイドに各々伸縮自在で調節機構で確実にロックできる構造とし、その足場金具に作業板を乗せその上にあがって高所作業をすれば効率よく作業ができ、且つ足場の移動も容易で簡単確実に次の足場を設定できる軽くコンパクトで収納が容易な操作簡単引っ掛け高所作業伸縮足場金具。【選択図】図１
2010112139.tif 000002
【特許請求の範囲】
梯子又は脚立あるいは胴縁や桁等の横の両サイドに、各々伸縮自在で確実にロックのできる構造とし、その用途の使用巾に応じ伸縮調節して足場金具を引っ掛けて平行とする、その足場金具に作業板を乗せ作業をすれば効率よく作業をすることができる軽くコンパクトで移動が容易であり簡単確実に用途に合わせて高所作業足場を設定することを特徴とした「操作簡単引っ掛け高所作業安全伸縮足場金具」、
【発明の詳細な説明】
【発明の詳細な説明】
【技術分野】
【０００１】本発明は高所作業をする場合横の固定物に引っ掛け伸縮足場金具を提供する、その作業足場金具は伸縮調整機構で確実にロックできる構造とし、より広範囲に多目的に作業できることを最大の特徴とした足場金具に関するものである
【背景技術】
【０００２】従来引っ掛け型の高所作業安全足場金具には、本発明者が平成１５年９月１２日に出願した特願２００３−３７３４７４、特開２００５−９０２１３がある
【発明の開示】
【発明が解決しょうとする課題】
【０００３】しかしながら引例は固定式のために、用途が限られてしまい使用範囲が極めて少ないという大きな欠点を生じている
【発明を解決するための手段】
【０００４】引例で示す足場金具が固定式では使用範囲が極めて限られてしまうという大きな欠点を解消するため足場金具全体を、その高所作業の用途に合わせて瞬時に対応できる伸縮自在の調整機構とし確実にロックできる構造とした
【発明の効果】
伸縮自在調整機構構造にすることにより、その用途に応じ高所作業の範囲が大幅に対応できる
【発明を実施するための最良の形態】本発明は引っ掛け、足場、支えの部分が各々その用途に合わせ瞬時に伸縮調整できることを最大の特徴としているものであって、建築物の横の構造物幅たとえば胴縁、桁等又は梯子、脚立などの横幅、足場巾、支え長さを調整して適合させ引っ掛けて建築作業や、外壁、雨ドヨ  エアコン工事等の高所作業合わせ瞬時に伸縮調整ができ、確実にロックできる構造であり、その用途が非常に広範囲に活用できる安全、確実、軽くコンパクトで収納が容易であり便利この上もない発明である。
【図面の簡単な説明】
【図１】引っ掛け高所作業伸縮足場金具斜視図
【図２】胴縁の巾並びに床の高さに引っ掛け高所作業伸縮足場金具を調整して天井作業を行っていることを示す斜視図
【図３】引っ掛け高所作業伸縮足場金具を梯子巾に調整して両サイドの梯子に引っ掛けて足場金具を平行にした足場に作業板を乗せて効率よく作業をしていることを示す正面図
【符号の説明】
（１）伸縮引っ掛け部（２）伸縮安全補強（３）安全補強（４）伸縮支え（５）伸縮ロック金具（６）安全押さえ金具（７）胴縁（８）作業足場（９）床（１０）操作簡単引っ掛け高所作業伸縮足場金具（１１）梯子
【図１】
2010112139.tif 000003
【図２】
2010112139.tif 000004
【図３】
2010112139.tif 000005
(57)【要約】【課題】屋内ドアの開閉を一時的に制御したくても錠を取り付けなければ不可能だった。  本発明は外開きの屋内ドアの枠を利用しながら必要時にドアの開閉を制御でき、ドア、壁に穴をあける必要もないので美観を損なうこともない着脱自在の器具である。【解決手段】支柱にハンドルを挟む二枚の板を少し隙間をあけて設ける。二枚の板に穴がハンドルの内側にくるように小穴を設ける。下の板の外側三分の一に小板をつける。本体を強固にするために三角形の板を下の板と支柱の間に設ける。上部より二枚の板の小穴に固定棒を差し込む。【選択図】図１
2010112142.tif 000002
【特許請求の範囲】
【請求項１】
支柱にドアのハンドルを挟む板二枚を取り付け、上下二枚の板に小穴を設け、下の板の外側三分の一に小板を付け、固定棒を上部より二枚の板の小穴に差し込みハンドルを固定する屋内ドアのハンドル固定器具。
【発明の詳細な説明】
【技術分野】
【０００１】  本発明は，屋内の外開きドアの枠を利用しハンドルを固定、ドアの開閉を制御するものである。
【背景技術】
【０００２】  従来、ドアの開閉は錠を取り付け制御している。
【特許文献１】  特開２００５−２０７２０９号公報
【発明の開示】
【発明が解決しようとする課題】
【０００３】屋内ドアの開閉を制御しようとするとドアに錠を取り付けなければならない。
本発明は、屋内ドアや壁に穴をあけず外開きのドアの内側の枠を利用、ドアのハンドルを固定し以上の問題点を解決するものである。
【課題を解決するための手段】
【０００４】  支柱にドアのハンドルを挟む板二枚を取り付ける。上下二枚の板に小穴を設ける。下の板の外側およそ三分の一に小板を付ける。三角板を支柱と下の板の間に設ける。固定棒を上部より板の小穴へ差し込む。
以上の構成よりなる屋内ドアのハンドル固定器具。
【発明の効果】
【０００５】屋内ドアまた壁に錠を取り付けることなく、穴をあけることなくドアの開閉を制御できる。外開きのドアの内側の枠を利用した着脱自在の器具のため部屋の美観を損なうことがない。
【発明を実施するための最良の形態】
【０００６】  以下、本発明の実施の形態を説明する。
（イ）上挟み板（２）を支柱（１）の先端に直角になるよう、ドア側から隙間を少しあけ設ける。
（ロ）ハンドル（７）の厚みより少し広めに、また、ドア側から隙間を少しあけ、下挟み板（３）を支柱（１）に対して直角になるように設ける。
（ハ）穴が取り付け時にドア側にくるように、上挟み板（２）と下挟み板（３）に小穴を設ける。
（二）下挟み板（３）の支柱固定部と反対側のおよそ三分の一に小板を設ける。
（ホ）三角板（５）を下挟み板と支柱の間に設ける。
（ヘ）固定棒（６）を上挟み板（２）と下挟み板（３）の穴に差し通す。
本発明は以上のような構造である。
本発明を使用する時はドアを閉めた後，支柱（１）をドアの枠に沿わせ次に二枚の板（２）と（３）がハンドルを挟むように取り付ける。これにより本体がハンドルの動きを固定するためドアの反対側からはハンドルは動かずドアが開かない。
【図面の簡単な説明】
【０００７】
【図１】本発明の斜視図
【図２】本発明の使用状態を示す斜視図
【符号の説明】
【０００８】（１）支柱、（２）上挟み板、（３）下挟み板、（４）小板、（５）三角板、（６）固定棒、（７）ドアハンドル
【図１】
2010112142.tif 000003
【図２】
2010112142.tif 000004
(57)【要約】【課題】  この発明は、床及び敷き布団の湿り気を防止するために、ベットの構造・機能を取り入れた敷き畳と畳を提供する。【解決手段】  畳裏地（イ）に保温断熱板（ロ）を設け、保温断熱板（ロ）に畳下層材を積層し、空気容積、空間を変える事ができる補強板（ハ）を設置し、補強板（ハ）に通気孔を設けた畳中芯材（ニ）を一体化させ、クッション材（ホ）を積層し、表面にい草畳表で構成される湿り気防止畳を特徴とする。【選択図】図４
2010112143.tif 000002
【特許請求の範囲】
【請求項１】
畳裏地（１）に保温断熱板（２）を配層し、保温断熱板（２）に畳下層材（３）を積層し、畳下層材（３）と畳中芯材（５）の間に空気層の容積を変える補強版（４）を配置し、畳中芯材（５）の上層に、クッション材（７）を設け、表面を畳表（８）で構成した湿り気防止畳。
【発明の詳細な説明】
【技術分野】
【０００１】  この発明は、生活様式、建築様式が変化しフローリング材等の床に、敷き布団を用いる場合カーペット、ユニット畳等を床と敷き布団の間に使用しても、床と敷き布団に湿り気が発生する。
寒い時期になると水滴になるほどである。
床に敷き布団を用いて湿り気で困ったり、来客でベットが無いか、不足している時に、ベットの構造、機能を組み合わせ、保温断熱材と空気層、空間を形成する補強板に、通気孔を設けた畳中芯材で一体化した構造にし、畳中芯材の上層に、クッション材を積層し、表面にい草畳表で構成され、補強板と畳下層材で厚みを変える事により、床に用いる湿り気防止の敷き畳と従来の木造建築の床に使用される畳に関するものである。
【背景技術】
【０００２】  従来、日本の寝具においては、その気候、風土に合った木造建築の床材に湿り気防止の石灰を散布し、畳みの上に布団を敷く様式が主流であったが、生活様式・建築様式の変化と共に、ベット及びマットレスの使用に移行している。
一方で、『フローリング材』の床の上に、従来の敷き布団を直接用いる場合は床と敷き布の両方に発生する湿り気を軽減するために、カーペット又はユニット畳等を床と布団の間に使用することが多かった。
【発明の開示】
【発明が解決しようとする課題】
【０００３】  これには次のような欠点があった。
従来の敷き畳みの構成は、床に接する部分に吸湿性の悪い不織布、防湿シート、畳芯にウレタンや木質繊維の畳ボード、表面はい草畳表で構成されるが、吸湿・放湿・保温断熱・通気性の機能が悪く、保温性の悪い冷たい床と敷き布団との温度差により床と敷き布団には湿り気が発生する。
特に寒い時期になると水滴になるほどである。
本発明は、以上のような欠点をなくするためになされたものである。
【課題を解決するための手段】
【０００４】  従来木造建築の床材は、気孔が大きい杉材を使用し、石灰を散布し、湿り気を防ぎ畳は、中空のある稲わらを押しつぶし重合させ、空気を含むい草畳表で構成される。
畳の素材を、上記の機能を併せ持つ自然素材で構成し、畳の構成、構造に、ベットのスプリング構造の空気層、空間の機能を加え、吸湿、放湿、保温、断熱、通気性の機能を増大させ、一体化した構造にすることである。
そのポイントは、畳み裏地（１）に、保温断熱板（２）を設け、保温断熱板（２）に畳下層材（３）を積層し、空気容積、空間の大きさを変えられる補強板（４）を配層し、畳下層材（３）と補強板（４）に、畳中芯材（５）に通気孔を設け、畳下層材（３）及び補強板（４）に畳中芯材（５）を積層し一体化する。
一体化した畳中芯材の上層に（７）のクッション材を積層し、表面にい草畳み表を設ける。
本発明は、以上の構成よりなる湿り気防止畳みである。
【発明の効果】
【０００５】  畳を構成する素材すべてが、吸湿、放湿、保温、断熱、通気性を併せ持つ自然素材で構成され、空気容積、空間を変えられる補強板と、通気孔を設けた畳中芯材と一体化された畳は、下層と上層の通気を良くし保温、断熱、通気性能が向上し、補強板と畳下層材の厚みを変えることにより、フローリング材の床に用いる敷き畳みと、従来の畳みに容易に対応でき、大きさ形状も変えると多種多様の組み合わせが可能になり、床と敷き布団の湿り気を防ぐ。
入手の困難な稲わらを使用せず、軽量で、天日干し等、取り扱いが容易で収納場所もとらず、リサイクルもしやすい、社会環境にも良く利便性が増し、製造者、使用者、共に恩恵を受ける。
【発明を実施するための最良の形態】
【０００６】  以下、本発明を実施するための最良の形態について説明する。
（イ）畳み裏地に、表面積、空間が増加する両面起毛加工した綿素材を使用し、地域環境により防かび、防腐機能のある柿渋を付着させる。
（ロ）保温断熱材で空気を含む層があり空間を保持できる強度のあるダンボール板を使用し、畳みの辺の短い方に中空を平行に配置し、従来の厚みのある畳には畳下層材を積層する。
（ハ）上記の畳下層材と畳中芯材の間に空気容積、空間の大きさを変えることができる補強板と強度のある多重構造のダンボール板を用い通気性を良くし、畳みの辺の短い方に平行に、図１のように枕木状に配置し補強板の厚みを変えることで保温、断熱機能を増大させることができ、補強板とダンボール板とにかかる加重は畳中芯材が全体に分散させダンボール板の中空構造と空間を保持できる。
（ニ）畳中芯材は厚みを変えることができる補強板に木質繊維の強度のある畳ボードに、図２のように通気孔を設け、（ロ）の畳下層材と、（ハ）の補強板を糊で接着し一体化した構成、構造にするすることで強度が増し多種多様の組み合わせができる。
（ホ）畳中芯材の上にクッション材として、中空を押しつぶした薄いダンボール板を、図４のように積層し、表面はい草畳み表で構成される。
本発明は以上のような構成、構造である。
これを使用するときは、床や、敷き布団の湿り気で困った時、ベットがないか、不足している時に床での使用もでき、補強板と畳下層材の厚みを変えることで、従来の畳としても使用できる。
敷き布団の間に使用するマットレスの変わりに使用してもなんらさしつかえない。
【図面の簡単な説明】
【０００７】
【図１】  本発明の補強板の配置例と空間を構成する斜視図である。
【図２】  本発明の通気孔を設けた、畳中芯材の斜視図である。
【図３】  本発明の畳下層材、補強板、畳中芯材を一体化した断面図である。
【図４】  本発明の畳の構成斜視図である。
【図５】  クッション材の断面図である。
【符号の説明】
【０００８】１  畳裏地
２  保温断熱板
３  畳下層材
４  空気層の容積を変える補強板
５  畳中芯材
６  通気孔
７  クッション材
８  畳表
【図１】
2010112143.tif 000003
【図２】
2010112143.tif 000004
【図３】
2010112143.tif 000005
【図４】
2010112143.tif 000006
【図５】
2010112143.tif 000007
(57)【要約】【課題】先端に治具固定用ゴム製ボール１を取り付けた挿入治具を提供する。【解決手段】ゴム製ボール固定用架台３に治具固定用ゴム製ボール１を取り付け、ゴム製ボール固定用フレーム２の４本のフレームで仕切ることで、４個の膨らみを作ることができる。４つの膨らみになることで、ジャバラ配管との接地面積を増大することが出来るため、ジャバラ配管を先端部の希望箇所で固定することが出来る。配管の曲がり部の手前で配管を支持することで容易にジャバラホースを押し込むことが出来る。【選択図】図１
2010112145.tif 000002
【特許請求の範囲】
【請求項１】
本発明は、補助具を使用して挿入することにより、既設の排水ドレン金物内に新たにジャバラ配管を挿入する工法に使用する、補助具に関するものである。
【発明の詳細な説明】
【技術分野】
【０００１】本発明は、ジャバラ配管を確実に排水竪管内部まで挿入する為の補助具に関するもの。
【背景技術】
【０００２】これまでは平板とホースを組み合わせた、２重ドレンは存在したが、取り付け施工の際には特に補助具は無く、下記の問題点を含んでいた。
既存のドレン金物・呼び樋の設置状況が個々異なっており、途中の形状・施工長さが個々に異なることが原因で、ジャバラ配管を排水竪管内まで挿入することは難しく、工事の際には▲１▼安易に数段小さい口径のジャバラ配管を選択して取り付ける。▲２▼排水呼び樋の途中までしか配管しない。等の不良工事が多々あり、近年の集中豪雨の際の排水に支障をきたすことが多く漏水事故の原因となっている。
【発明の開示】
【発明が解決しようとする課題】
【０００３】既存配水管内径にできるだけ近いサイズのジャバラ配管を、確実に竪管内に挿入することが出来る補助具を開発した。【０００４】既存のドレン金物・呼び樋の設置状況が個々異なる為、事前に設置可能な最大径のジャバラ配管径を確定するため本発明を使用して、類似のジャバラ配管を事前に試験挿入することにより、既存の設備内での最大径寸法の配管の選定を可能とする補助具を開発した。
【課題を解決しようとするための手段】
【０００５】補助具先端のゴム製ボール固定用架台３に補助具固定用ゴム製ボール１を取り付け、手元のエアーポンプ８を使用してエアー配管５を通して補助具固定用ゴム製ボール１を加圧することにより、補助具固定用ゴム製ボール１の空気圧で補助具をジャバラ配管内に押し付け固定することが出来、挿入対象のジャバラ配管を排水竪管内に挿入する。
又、配管内にジャバラ配管を順次送り込む際は、エアー抜きバルブ６の作動により補助具固定用ゴム製ボール１の空気圧を減圧することで補助具を自由に出来る。ジャバラ配管内で補助具を押し付け固定する場所を自由に変更することが出来るため、ジャバラ配管を排水竪管内部に押し込むことができる。エアーポンプ８を常に加圧状態で使用することを可能にするため、スプリング９をエアーポンプ押し棒に取り付けた。
【０００６】既存の排水路が水平になっているとは限らないため、補助具のシャフト棒４は曲がり易い配管材を使用し、内部にエアー配管５を収納した。
【０００７】当発明は、先端部の補助具固定用ゴム製ボール１にリング状の模様をつけることで送り込みの際の抵抗力を増加させ、ジャバラ配管のリングに沿わせることが出来る。又、縦長に取付けた４本のゴム製ボール固定用フレーム２で補助具固定用ゴム製ボール１を包み込むことにより、押し込み時の抵抗が少なくなるようにした。
取り付け対象の数種類の配管に対応が可能となるように、ゴム製ボール固定用フレーム２の長さを調整することで、加圧時の補助具固定用ゴムボール１の大きさを調整することができるようにした。１つのボールで広範囲の配管に対応が可能となる。
【発明の効果】
【０００８】本発明品を使用することにより、最深部までジャバラホースを挿入することが可能となり、設置不良に伴う雨水の逆流を防止出来ることとなり、漏水の発生を抑えることが可能となる。
【発明を実施するための最良の形態】
【０００９】以下、本発明の実施の形態について説明する。
（イ）
最大径のジャバラ配管を選定する作業の準備段階で、当補助具を採用する。
最大径の伸縮性のあるジャバラ配管を排水竪管の奥まで挿入するために、当補助具を使用してサンプルジャバラ配管を挿入する。既設排水竪管までの長さ・有効内径を確認して、新たに設置するジャバラホース径を選定する。
（ロ）
シャフト棒４に曲がりやすい配管材を採用することで、途中の呼び樋の設置状況に左右されない。
（ハ）
配管を送り込む補助具の機能。
補助具の先端部のゴム製ボール固定用架台３に、補助具固定用ゴム製ボール１を使用することにより、設置しようとする配管の先端から２００ｍｍ程度の適切な場所に補助具固定用ゴム製ボール１を固定することで、呼び樋排水管ジョイント部においてジャバラ配管を排水竪管内に挿入することができる。その後補助具固定用ゴム製ボール１のエアーの減圧をエアー抜きバルブ５を操作して行い、取り付け場所を変更することにより、前記の作業を繰り返すことでジャバラ配管を充分な長さまで挿入可能となる。
（ニ）
呼び樋と排水管ジョイント部で曲がり半径限界に対処する方法。
ジャバラ配管は屈曲性と弾性を有すため、排水竪管に挿入するには、ジャバラ配管の先端付近で弾性反発力と先端の屈曲性を拘束することが必要となる。配管先端から２００ミリ程度の場所で当発明品を使用して、ジャバラ配管を固定拘束することで、ジャバラ配管の先端部を排水竪管内に挿入出来る。
【図面の簡単な説明】
【００１０】
【図１】本発明の使用概要
【図２】本発明の姿図
【図３】本発明の断面図
【図４】本発明の治具固定用ゴム製ボール正面図
【図５】補助具固定用ゴム製ボール姿図
【図６】補助具固定用ゴム製ボール断面図
【符号の説明】
【００１１】１  補助具固定用ゴム製ボール
２  ゴム製ボール固定用フレーム
３  ゴム製ボール固定用架台
４  シャフト棒
５  エアー配管
６  エアー抜きバルブ
７  ポンプカバー
８  エアーポンプ
９  スプリング
【図１】
2010112145.tif 000003
【図２】
2010112145.tif 000004
【図３】
2010112145.tif 000005
【図４】
2010112145.tif 000006
【図５】
2010112145.tif 000007
【図６】
2010112145.tif 000008
(57)【要約】      （修正有）【課題】極めて悪質な入居者からも確実に家賃を徴収する。【解決手段】ドア１上部でドア内部に設けられた施錠装置２は室内に設置されている読取処理装置３に接続されている。居住者は大家が発行するカード４を今月分の家賃の支払いと交換に受け取り前記読取処理装置３に挿入する。カード４を読取処理装置３に挿入すると次期支払いまでの残日数が表示部５に表示される。残日数を過ぎるとドア１に設置されている施錠装置２がドアを自動的に施錠する。従って、居住者は強制的に出入りができなくなる。【選択図】図１
2010112147.tif 000002
【特許請求の範囲】
【請求項１】
カードと当該カードの読取装置と玄関ドアを開閉する処理装置とからなることを特徴とした家賃の徴収システム。
【請求項２】
カードが磁気カードである請求項１に記載の家賃の徴収システム。
【請求項３】
カードがＩＣカードである請求項１に記載の家賃の徴収システム。
【請求項４】
賃貸日数表示装置と玄関ドアを開閉する処理装置とからなることを特徴とした家賃の徴収システム。
【発明の詳細な説明】
【技術分野】
【０００１】  本発明は賃貸住宅における家賃の徴収システムに関する。詳しくは、強制的に徴収を行い家賃の未収を完全になくすシステムに関する。
【背景技術】
【０００２】  従来、賃貸住宅の家賃の支払い方法は、大家に現金を直接支払いする方法から銀行口座の引き落とし等の方法が多用されている。最近では特開２００２−７３４７０号公報等に開示される様に通信ネットワークを通じた方法まで登場している。
【特許文献】特開２００２−７３４７０号公報
【発明の開示】
【発明が解決しようとする課題】
【０００３】しかるに前記何れの手段にしても、大家は常に現金が確実に入手できるという保障はない。極端な場合、家賃を平気で滞納するような悪質な入居者に居座られる可能性も十分あり得る。【０００４】  本発明は、前記問題に鑑み、家賃を平気で滞納するような極めて悪質な入居者からも、容易に家賃を徴収することが可能なシステムを提供するものである。
【課題を解決するための手段】
【０００５】  上記目的を達成するために本発明の家賃の徴収システムは、カードと当該カードの読取装置と玄関ドアを開閉する処理装置とからなることを特徴としている。
前記カードは読み取り手段が磁気やＩＣチップ等の公知の手段を使用することができる。【０００６】  さらに上記目的を達成するために本発明の家賃徴収システムは、賃貸日数表示装置と玄関ドアを開閉する処理装置とからなることを特徴としている。
【発明の効果】
【０００７】  本発明のシステムによれば、大家との契約日数を満了した後に家賃の継続支払いが未払いの場合、玄関ドア等に設けられたオートロックが働き強制的に出入り口が施錠されてしまう。前記施錠が行われてしまうと住宅の外部から開錠することは不可能である。結局居住者は自宅に出入りすることが不可能となり極端な不自由な生活を強いられることになる。そして家賃の支払いが完了すれば施錠が解放されて通常の生活を営むことができるのである。このようなシステムの中で、居住者は無言のまま家賃を支払うことを強いられるのである。一方大家は何らストレスを感じることなく家賃の徴収が可能となる。
【発明を実施するための最良の形態】
【０００８】  以下、本発明の実施の形態を図面に基づいて説明する。
図１は本発明の要部概略図である。図２は本発明の変形の要部概略図である。【０００９】  図１に示す如く、ドア１上部でドア内部に設けられた施錠装置２は室内に設置されている読取処理装置３に接続されている。居住者は大家が発行するカード４を今月分の家賃の支払いと交換に受け取り前記読取処理装置３に挿入する。読取処理装置３内でカード情報が処理されると、読取処理装置３前面に設けられた表示部５に次期カード４を入れ替えるべき期日までの残日数が表示されカウントされる。居住者は期日までに来月分の家賃と交換で大家から発行されるカード４新たに挿入すれば、引き続き居住することが可能になる。【００１０】  もし仮に居住者が継続してカード４を購入せずそのまま放置しておくと、期日を過ぎた時点で施錠装置２が稼動してドア１がロックされてしまう。この施錠装置２はオートロック形式で、外出する際に中からドア１を開くことは可能であるが、一旦外へ出てからドア１を綴じるとロックされて中へ入ることができなくなる。但し大家所持の合鍵や大家側に設置されている解除装置によりロックは容易に解除することができる。【００１１】  上記のようなシステムは予め大家から居住者へ詳細に説明されているので、居住者は家賃を支払わない限り継続して居住することができなくなり、半ば強制的に家賃を期日までに支払うことになるのである。【００１２】  なお、前記実施例は大家からカードを購入して読取機に挿入することで継続して居住できるシステムであるが、例えば図２に示す如く居住者室内には単なる残日数の表示装置６が設置されており、大家側に処理装置７等を設置しておいて、家賃が支払われた時点で入力操作を行い、残日数のカウントを行うようにしても構わない。【００１３】  なお本発明は前記実施例に限られるものではない。
例えば、施錠装置２が設置される出入り口は玄関に限らず、他の窓等にも設けても構わない。
また、カード４は磁気式でもＩＣ式でも構わない。
【図面の簡単な説明】
【００１４】
【図１】本発明の要部概略図である。
【図２】本発明の変形の要部概略図である。
【符号の説明】
【００１５】  １  ドア
２  施錠装置
３  読取処理装置
４  カード
５  表示部
６  表示装置
７  処理装置
【図１】
2010112147.tif 000003
【図２】
2010112147.tif 000004
(57)【要約】【課題】  杉、桧などの針葉樹の樹皮は以前から処分に困り、一部では樹皮を粉砕し、繊維状に加工している。加工された繊維樹脂の用途はマルチング材とされているが、水分を吸わない欠点があり、使用量が限られ大半が破棄されている。【解決手段】針葉樹の樹皮を粉砕し繊維状に加工された樹皮に水分を吸収するポリマーを添加させる。加工された繊維に蒸散固化型バインダーを添加した。これらを庭や公園など人が歩く場所への敷き込み材として提供する。これにより使用用途広がり、破棄を減少させることができる。【特許請求の範囲】
【請求項１】
針葉樹の樹皮を繊維状に加工したものを舗装材にすることを特徴とする樹皮繊維リサイクル舗装材
【請求項２】
針葉樹の樹皮を繊維状に加工するとともに蒸散固化バインダーを混合することを特徴とする樹皮繊維舗装材の施工方法
【発明の詳細な説明】
【発明の詳細な説明】
【技術分野】
【０００１】本発明は廃棄される針葉樹の樹皮を繊維状に加工したものを公園、庭など人が歩く場所に使用できる舗装材に関するものである。
【背景技術】
【０００２】従来、針葉樹の樹皮は粉砕され、魂状樹皮片に加工しマルチング材に使用されてきたが、魂状が重なるために透水性がなく、使用用途も限られる。また、そのまま敷くために、雨で流れたり、風で飛ばされたり、土からの蒸散をさえぎるなど様々な弊害を要している。このことから、使用用途が限られ多くの樹皮が廃棄処分となっている。
【発明の開示】
【発明が解決しようとする課題】
【０００３】針葉樹の樹皮はロジン等の樹脂状物が多く含有されていることから水をはじく原因となっている。また、大量に発生する樹皮を廃棄することなく有効利用するにはマルチング材だけでない使用方法を提案するものである。【０００４】このため、樹皮を繊維状に加工し浸透材を混合し浸透性樹脂繊維を製造し、これらを大量に使用するために公園や庭などの歩道に敷きつめた。しかしながら、敷いた上を歩いたり、雨、風で飛散、流亡が起こり歩道材としては今ひとつであった。【０００５】そこで、だれでも簡単に施工でき、繊維同士が密着し飛散、流亡を防ぐために蒸散固化性バインダーを配合する事により、飛散、流亡がなく、歩きやすい針葉樹皮繊維浸透性舗装材を提供する
【課題を解決するための手段】
【０００６】以上の課題から針葉樹樹皮を粉砕して繊維状に加工し浸透材を混合した製品に蒸散固化性バインダーを添加した製品を提供する。【０００７】使用場所において簡単に敷き詰められるように工場において上記製品を袋詰めした製品を提供する。
【発明の効果】
【０００８】針葉樹樹皮を粉砕、加工してえられた樹皮繊維は相互に絡まり、また絡まった繊維間に浸透材が入り込み水の浸透性の向上を得られる。これに水分が抜けると固化する蒸散固化性バインダー添加し袋へつめ外気にふれないように密閉し製品として提供する【０００９】蒸散固化性バインダーは水性エマルジョンを樹皮繊維に均一に混合され易い様に水で数倍から数十倍に希釈して用いる。水性エマルジョンは環境にも優しく安全性が非常に高いエチレンー酢酸ビニル共重合樹脂エマルジョンが好ましい。【００１０】これらを敷設場所にて袋より出し平均に敷き並べ上部より転圧をする。このとき敷き並べた樹皮繊維から添加された蒸散固化性バインダーより水分が蒸散され固化し人が歩いても崩れず、飛散、流亡の防止に効果を発揮する。【００１１】これらを敷き詰めた箇所は柔らかな感触をえられ、雨などでの水溜りができにくい歩きやすい歩道を提供する事ができる。
【発明を実施するための最良の形態】
【実施例】針葉樹樹皮を粉砕、加工して繊維状にした樹皮に浸透材、蒸散固化性バインダーを加え、袋つめしたものを敷き設場所へ搬入する。敷設場所は人が歩く場所であるため、できれば雨などが浸透するように路盤を作る。次に敷設場所を均等に平らにならし、この材料を５ｃｍ〜１０ｃｍの厚みで敷並べ、上部より軽く転圧をする。この場合、外気にふれ水分が蒸散し始めると固化しはじめ全体が団結し、人が歩いても崩れず、雨などによる水溜りができにくい歩道ができる。
(57)【要約】【課題】  ＬＥＤを光源とする検査装置で、価格の安い押出し成型のロッドレンズを使用するとその表面が脈打っているため、突起物で固定するとき、固定が不安定で位置ずれがしたり、振動などで動くことがある。そのため、検査物に照射される光は、光量むらが発生し確実な検査ができなくなる【解決手段】  チップ状のＬＥＤを光源としてその上部に位置するロッドレンズを固定する手段として、前記ロッドレンズの外径に合った突起物とロッドレンズの表面との間に柔軟性のある緩衝材を挿入する。ロッドレンズは表面が脈打っていても緩衝材の働きにより固定位置のずれがなくなり、光量むらのない安価で正確な検査装置が得られる。【選択図】図１
2010112939.tif 000002
【特許請求の範囲】
【請求項１】
チップ状のＬＥＤを光源としてその上部に位置するロッドレンズを固定する手段として、前記ロッドレンズの外径に合った突起物とロッドレンズの表面との間に柔軟性のある緩衝材を挿入してなる光源装置。
【発明の詳細な説明】
【技術分野】
【０００１】  本発明は、チップ状ＬＥＤと集光レンズおよび拡散板を組み合わせて検査物の欠点を検査する高輝度光源装置に関するものである。
【背景技術】
【０００２】  従来、欠点検査装置の光源として蛍光ランプなどが主流であったが、近年高輝度のＬＥＤが開発され、長寿命、省電力などの利点から蛍光ランプに代わって複数個並べたＬＥＤが光源として採用されるようになってきた。【０００３】  このＬＥＤは、当初レンズとＬＥＤを一体型にした砲弾型のタイプが採用されていたが、検査物の傷などの欠点を見つけるとき、光源の輝度が十分ではないため検査物の小さな欠点を発見する事が困難であった。そのためチップ状のＬＥＤと集光レンズおよび拡散板を組み合わせた高輝度の光源装置が提供されている。【０００４】  ＬＥＤを光源とする欠点検査用の光源装置の構造は、プリント基板上に取り付けられたチップ状のＬＥＤの上部にロッドレンズなどの集光レンズを設置し、集光された光をその上部に取り付けられた拡散板を通して検査物を照射するようになっている。
【発明の開示】
【発明が解決しようとする課題】
【０００５】  しかし、価格の安いロッドレンズは押出し成型のため完全な円状の棒ではなく、表面が脈打っている。一般にロッドレンズは、その外径に合った寸法の突起物で固定されているが、このような脈打ったロッドレンズを使用すると、ロッドレンズの固定位置のずれ、振動などによるロッドレンズの動きで拡散板を通して照射される光は光量むらが生じ、正確な検査装置を提供することができない。
【課題を解決するための手段】
【０００６】前記問題点を解決するため、本発明はロッドレンズを固定する突起物とこの突起物と接するロッドレンズ表面にシリコンなどの柔軟性のある緩衝材を挿入した。
【発明の効果】
【０００７】本発明によれば、ロッドレンズを固定する突起物とこの突起物と接するロッドレンズ表面にシリコンなどの柔軟性のある緩衝材を挿入することにより、ロッドレンズは表面が脈打っていても緩衝材の働きにより固定位置のずれがなくなり、光量むらのない正確な検査装置が得られる。
また、押出し成型のロッドレンズが使用できるので安価になる。
【発明を実施するための最良の形態】
【０００８】  以下、図面に基づき本発明の実施の形態を説明する。【０００９】  図１は、本発明の実施例を示す光源装置の断面図である。【００１０】  この光源装置は、プリント基板３上にＬＥＤ２が複数個取付けられ、その上部にアルミの押出し成型品などと一体となったロッドレンズ４を固定する突起物６が設けられている。【００１１】  ロッドレンズ４の上部には拡散板５が設置され、ＬＥＤ２から発散する光はロッドレンズで拡大され、拡散板を通して検査物に照射される。ロッドレンズ４は、安価な押出し成型品を使用していてその表面が脈打っているため、突起物だけの固定では固定が不安定で位置ずれがしたり、振動などで動くことがある。【００１２】  そのため、検査物に照射される光は、光量むらが発生し確実な検査ができなくなる。本発明はこの光量むらを無くすため、シリコンなどからなる緩衝材７を本体の突起物６とロッドレンズ４の間に挿入したものである。この緩衝材はシリコン以外の柔軟性のある材料であればいいのは言うまでもない。【００１３】  この結果、ロッドレンズ４が脈打っていても確実に固定され、検査対象物の正確な検査ができる。
【図面の簡単な説明】
【００１４】
【図１】本発明の実施例を示す光源装置の断面図。
【符号の説明】
【００１４】    １・・・光源装置の本体
２・・・チップ状のＬＥＤ
３・・・プリント基板
４・・・ロッドレンズ
５・・・拡散板
６・・・ロッドレンズ固定用突起物
７・・・柔軟性のある緩衝材
【図１】
2010112939.tif 000003
(57)【要約】      （修正有）【課題】冷房中のエアコン室外機の放熱コンデンサーに水をかけて大幅に消費電力を減少させるエアコンにおいて、水垢での汚れ、機器の錆びの発生を防ぎ、水代の節約が出来るエアコンを提供する。【解決手段】ラセン状に穴を開けたパイプ５をゆっくり回転させ、水の表面張力により水滴となって流れにくくなる欠点を刷毛状のガイド布６をパイプ５に軽く接触させることで、少量のドレン水をローコストで無駄なく均等に散布させる、回転モーター３の制御は室外機の電源と並列にとり、水センサー２でドレン水が出ている時だけ運転させる。【選択図】図１
2010112614.tif 000002
【特許請求の範囲】
【請求項１】
室外機コンデンサーの幅の長さの直径十数ミリのパイプに、数ミリ間隔で1mm程度の
穴をらせん状に開け、このドレンパイプをモーターにより1分間に数回転させ、水滴を
コンデンサーの端から端まで順次滴下させドレンパイプに接させた縦糸状の樹脂のガイ
ドを通じてコンデンサーに均等に散布する装置
【請求項２】
ドレン水に限らず、水道水や地下水などを使用する場合においても、水量を大幅に減ら
す事が可能であり、高圧パイプの温度上昇を感知するサーモスタットで回転モーターと
同時に水の電磁弁をON-OFFさせる。
【発明の詳細な説明】
【技術分野】
【０００１】
本発明は、エアコンから出る少量のドレン水を無駄なく、均等にコンデンサーに散布させる為の装置で、エアコン冷房時の効率を高める省エネシステム。
【背景技術】
【０００２】
冷房運転時にエアコン室外機に水を散布する方法は、すでに知られており実地されているが水質にもよるが、水垢により汚れで効率が落ちてくる、飛散した水により機器が錆びる、水道代が高くなり、経費が思ったほど下らないなどの欠点が指摘されている。
またドレン水については、自然に発生し不純物も少なく無料で使える理想的であるが無駄なく均等に散布する事が難しく、実用化に至っていない。
【特許文献１】特開2003-042476
【発明の開示】
【発明が解決しようとする課題】
【０００３】
冷房時のエアコン室外機に水を散布すると消費電力が25%程度下る為、スーパーマーケッ
トなどで、採用されているが、水道代が高くなった、カルキにより白く汚れて掃除が大変
だ、飛散した水で周りまで濡れて機器が長持ちしないのでは、塩素を取り除かないでかけ
ていたらアルミフィンが錆びてきたなどの欠点がある。
本発明は、室内機から出るドレン水を無駄なく、均等に散布させることで、上記の欠点の
ほとんどを解決することが出来る。また家庭用のエアコンにも低コストで導入できる為に
適用台数が多く、CO2の削減にも効果がある。
家庭用でベランダなどにドレン水を流している所では、コケで緑色に変色し汚くなったり
しているが、この装置ではコンデンサーですべて蒸発してしまうので、このような排水が
出来ない条件の所へも最適である。
【課題を解決するための手段】
【０００４】
冷房時のエアコンドレン水は、湿度と温度が高い時ほど多く出るので、少量ではあるが、きれいな水であり、コンデンサーへ無駄なく均等に散布するために、コンデンサー上部に平行に固定した10数ミリの丸いパイプに数ミリ毎に水が落ちる為の穴をらせん状に開け
このパイプを、モーターにより毎分数回転させて、右端から順番にドレン水を滴下させ
パイプの1回転で左端まで均等に滴下させる。
パイプの穴から出る水の表面張力により、水滴が落ちにくい現象があるので、パイプの下面に縦糸状に編みこんだガイドを接触させ、水滴にならない状態でガイドを流れて、コンデンサーに到達させ、少量の水を均等に散布する
【０００５】
請求項2の発明は、ドレン水以外の水を使用する場合においても、コンデンサーの高圧パ
イプの温度により、サーモスタットをON-OFFさせ、電磁弁と回転モーターを制御させる
事により、従来より大幅に水の使用量を削減する事が可能である。
【発明の効果】
【０００６】
本発明により、家庭や事務所でエアコンのドレン配管を室外機配管と一緒に出している所では、ドレンパイプを散布装置に接続し、室外機の電源から受電するだけで、エアコンの電力が最も多い時ほど多く出るドレン水が気化熱(539Kcal/g)により、コンデンサーを冷却し、高圧の圧力が下り、冷房能力を落とすことなく、消費電力が減少し省エネとなります。
また、従来の水道水や、地下水を散布する方法と比べ機器の汚れや錆びの発生も少なく、水道料金もポンプも使用せず、出費も少ない。散水用パイプを回転させるモーターの電力は1分間に数回転の低速の為、わすか2W程度で済み補機電力も少なく省エネ効果が多く
得られる。
またドレン水はコンデンサーでほとんど蒸発してしまうので、ベランダなどがドレン排水による、コケで変色したりすることが無くなる。
水道水を散布する場合も、この方式により水の量を大幅に減らす事が出来る。
【発明を実施するための最良の形態】
【０００７】
以下、本発明の実施の形態を図1-1〜図1-3に基づいて説明する。
図1−1は本発明の平面図で  ４から流れたドレン水は、２の水センサーを通過して５の
回転するパイプに流れ込みパイプの下穴から外に出るが、パイプの回転角度は３の低速で
回転するモーターにて、下穴の位置は順次右から左、左から右へと移動しているので、エ
アコンコンデンサーの端から端まで均等にドレン水を滴下する。パイプに開けた穴は小さ
く水の表面張力により水滴となりブラ盛る事があるためと、出た水をコンデンサーまで導
く為のガイドをカビが付きにくい刷毛状の材質で図1-3の６のように回転するパイプと斜
めに接触させる。
らせん状に開けた穴は、ドレン水が少ない時は一番下の穴からしか出ないが、ドレン水が
多くなりパイプに溜まるような場合は、下側の数個の穴から出る為、自動的に均等に滴下
することが出来る。
【図面の簡単な説明】
【０００８】
【図１】(１)  本発明、ドレン水を均等に無駄なく散布するための機器平面図       (２)  エアコンの室外機に機器を取り付けた平面図       (３)  エアコン室外機に機器を取り付けた側面図
【符号の説明】
【０００９】
1 エアコン室外機放熱コンデンサー
2 ドレン水センサー
3 らせん状に穴を開けたパイプを回転させるモーター
4 ドレン水入り口
5.らせん状に数ミリ間隔で穴を開けたパイプ
6.回転するパイプから滴下する水をコンデンサーに導くブラシ状のガイド板
【図１】
2010112614.tif 000003